(57)【要約】  【課題】  ディスクの装置挿入から再生および記録までの時間を短縮することができ、ユーザにとってストレスが少なくなるディスク装置を提供する。  【解決手段】  コントローラ１９がトレイ押込み検出部４によりトレイ２の押込みを検出すると、トレイ駆動部３によりトレイ２をディスク装置本体内部へ移動を開始させ、ディスク１のディスク半径方向への搬送が開始される。そして、コントローラ１９は、トレイ押込み検出部４が生成するパルス信号の計数を開始し、ディスク１の搬送が進みディスク１の最外周部が対物レンズ７からのレーザ射出位置に到達するまでのパルス信号の計数値に基づき、ディスク１のサイズを判別する。【選択図】      図１
2006351077.tif 000002
【特許請求の範囲】
【請求項１】
ディスクにレーザを照射するピックアップと、前記ディスクを回転させる回転手段と、
前記ディスクを前記ディスクの半径方向に前記回転手段まで搬送する搬送手段と、を備え
るディスク装置において、
前記搬送手段が前記ディスクを搬送するに伴いパルス信号を順次生成するパルス生成手
段と、
該パルス生成手段が生成する前記パルス信号を計数する計数手段と、
前記搬送手段が搬送する前記ディスクが、前記ピックアップが前記レーザを射出する位
置に到達したことを前記ディスクからの前記レーザの反射光に基づき検出する検出手段と
、
前記搬送手段が前記ディスクの搬送を開始してから前記検出手段が検出したタイミング
までに前記計数手段が前記パルス信号を計数した結果に基づき前記ディスクのサイズを判
別する判別手段と、を備えることを特徴とするディスク装置。
【請求項２】
ディスクにレーザを照射するピックアップと、前記ディスクを回転させる回転手段と、
前記ディスクを前記ディスクの半径方向に前記回転手段まで搬送する搬送手段と、を備え
るディスク装置において、
前記搬送手段が搬送する前記ディスクが、前記ピックアップが前記レーザを射出する位
置に到達したことを前記ディスクからの前記レーザの反射光に基づき検出する検出手段と
、
前記搬送手段が前記ディスクの搬送を開始してから前記検出手段が検出したタイミング
までの経過時間に基づき前記ディスクのサイズを判別する判別手段と、を備えることを特
徴とするディスク装置。
【請求項３】
ディスクにレーザを照射するピックアップと、前記ディスクを回転させる回転手段と、
前記ディスクを前記ディスクの半径方向に前記回転手段まで搬送する搬送手段と、を備え
るディスク装置において、
前記搬送手段が搬送する前記ディスクが、前記ピックアップが前記レーザを射出する位
置に到達したことを前記ディスクからの前記レーザの反射光に基づき検出する検出手段と
、該検出手段が検出したタイミングに基づき前記ディスクのサイズを判別する判別手段と
、を備えることを特徴とするディスク装置。
【発明の詳細な説明】
【技術分野】
【０００１】
本発明は、ディスク装置におけるディスク判別方法に関するものである。
【背景技術】
【０００２】
ＣＤやＤＶＤ等のディスクには、直径が８ｃｍのディスクと１２ｃｍのディスクの２種
類が存在する。この２種類のディスクにおいて、その材質が同じであるとすれば、当然の
ことながらサイズが異なることによってその質量も異なることになる。従って、各サイズ
のディスクを再生する場合、質量の違いが再生や記録に悪影響を及ぼさないようにするた
めに、ディスクの回転制御系であるスピンドルサーボのゲインを、各ディスクサイズに対
応した最適な値に設定する必要がある。そのためには、ディスクの再生や記録に際し、デ
ィスクサイズを判別しなければならない。
【０００３】
従来のディスクサイズを判別する方法としては例えば特許文献１に、ディスクをディス
ク装置にマウントした後、ディスクのイナーシャを測定することにより、ディスクサイズ
を判別するものが開示されている。
【０００４】
しかし、上記の方法では、ディスクをディスク装置にマウント後にディスクサイズを判
別し判別に時間を要するので、結果的にディスクの装置挿入から再生および記録までの時
間が長くなるという問題があった。
【特許文献１】特開２００４−１６４７４３号公報（第５頁）
【発明の開示】
【発明が解決しようとする課題】
【０００５】
本発明は上記問題点を鑑みてなされたものであり、ディスクの装置挿入から再生および
記録までの時間を短縮することができ、ユーザにとってストレスが少なくなるディスク装
置を提供することを目的とする。
【課題を解決するための手段】
【０００６】
上記目的を達成するために本発明のディスク装置は、ディスクにレーザを照射するピッ
クアップと、前記ディスクを回転させる回転手段と、前記ディスクを前記ディスクの半径
方向に前記回転手段まで搬送する搬送手段と、を備えるディスク装置において、前記搬送
手段が搬送する前記ディスクが、前記ピックアップが前記レーザを射出する位置に到達し
たことを前記ディスクからの前記レーザの反射光に基づき検出する検出手段と、該検出手
段が検出したタイミングに基づき前記ディスクのサイズを判別する判別手段と、を備える
ことを特徴とする。
【０００７】
このような構成によれば、ディスクを回転手段まで搬送する間にディスクサイズを判別
するので、ディスクマウント後にディスクサイズを判別する必要がなくなり、結果的にデ
ィスクの装置挿入から再生および記録までの時間を短縮することができ、ユーザにとって
ストレスの少ないものとすることができる。
【０００８】
また、より具体的には、前記搬送手段が前記ディスクを搬送するに伴いパルス信号を順
次生成するパルス生成手段と、該パルス生成手段が生成する前記パルス信号を計数する計
数手段とを備え、前記判別手段は、前記搬送手段が前記ディスクの搬送を開始してから前
記検出手段が検出したタイミングまでに前記計数手段が前記パルス信号を計数した結果に
基づき、前記ディスクのサイズを判別する構成であればよい。
【０００９】
または、前記判別手段は、前記搬送手段が前記ディスクの搬送を開始してから前記検出
手段が検出したタイミングまでの経過時間に基づき、前記ディスクのサイズを判別する構
成としてもよい。
【発明の効果】
【００１０】
本発明のディスク装置によれば、ディスクの装置挿入から再生および記録までの時間を
短縮することができ、ユーザにとってストレスが少なくなる。
【発明を実施するための最良の形態】
【００１１】
以下、本発明に係るディスク装置の実施形態の一例について図面を参照しながら説明す
る。図１は、本発明に係るディスク装置２３およびホストコンピュータ２４の概略構成を
示すブロック図である。
【００１２】
トレイ２はディスク１が置かれた状態でディスク１の半径方向にトレイ駆動部３によっ
て駆動され、ディスク１を装置から出し入れするものである。トレイ駆動部３は後述する
ギヤ、モータを備える。ターンテーブル５はスピンドルモータ６の軸に固定され、図示し
ないクランプと共にトレイ２により搬送されたディスク１の中央部を挟み込み固定する。
そしてスピンドルモータ６によってディスク１が回転する。
【００１３】
トレイ押込み検出部４は、ユーザによるトレイ２の装置本体内部への押込みを検出する
センサであり、詳細は後述する。
【００１４】
ピックアップ１１は、対物レンズ７、アクチュエータ８、レーザダイオード９、フォト
ディテクタ１０、図示しない各種レンズ等を備える。レーザダイオード９は、レーザドラ
イバ１４によって駆動され、レーザダイオード９から出力されたレーザは対物レンズ７で
ディスク１の記録面に合焦され、ディスク１からの反射光をフォトディテクタ１０が電気
信号に変換する。アクチュエータ８は対物レンズ７をディスク１の半径方向および垂直方
向に駆動する。また、スレッドモータ１６はピックアップ１１をディスク１の半径方向に
駆動する。
【００１５】
ヘッドアンプ１７は、フォトディテクタ１０で変換された電気信号を増幅し、フォーカ
スエラー信号およびトラッキングエラー信号を生成し、サーボ回路１８に送出する。また
、フォトディテクタ１０は複数に分割された受光素子で構成され、ヘッドアンプ１７は受
光素子の各受光部の出力信号を増幅し、その総和を取り反射光量を示す信号を生成する。
【００１６】
サーボ回路１８はヘッドアンプ１７から送出されたフォーカスエラー信号およびトラッ
キングエラー信号に基づきフォーカスドライブ信号およびトラッキングドライブ信号を生
成し、アクチュエータドライバ１３に送出する。アクチュエータドライバ１３はフォーカ
スドライブ信号およびトラッキングドライブ信号に基づきアクチュエータ８を駆動する。
また、サーボ回路１８は、トラッキングエラー信号に基づき駆動信号をスレッドドライバ
１５に送出し、スレッドドライバ１５はスレッドモータ１６を駆動する。
【００１７】
また、スピンドルモータ６はモータの回転に伴ってパルスを発生させる回路を内蔵して
おり、このパルスをサーボ回路１８に送出し、サーボ回路１８はこのパルスを用いてスピ
ンドルモータ６を一定の回転数で駆動するための駆動信号を生成する。サーボ回路１８で
生成された駆動信号はスピンドルモータドライバ１２を介してスピンドルモータ６を一定
の回転数で回転させる。
【００１８】
ディスク１からの再生においては、ヘッドアンプ１７で生成された反射光量を示す信号
は信号処理回路２０に送出され、信号処理回路２０で２値化、復調および誤り訂正され、
再生信号としてホストインターフェイス２２を介してホストコンピュータ２４に送出され
る。
【００１９】
ディスク１へのデータの記録においては、ホストコンピュータ２４からのデータはホス
トインターフェイス２２を介して信号処理回路２０へと送られ、ここでデータはエラー訂
正のためのフラグを付加され、さらに変調処理をされレーザドライバ１４へ送られる。そ
してレーザダイオード９はパルス発光し、ディスク１にデータが記録される。
【００２０】
また、コントローラ１９は、各回路ブロックの動作制御を行いシステム全体が所定の動
作を行えるように統括している。操作部２１はユーザが操作をするためのものであり、ボ
タン等からなる。
【００２１】
次に、本発明に係るディスク装置におけるディスクサイズ判別について図２のフローチ
ャートに沿って説明する。
【００２２】
まず、トレイ２がディスク装置の外部へ飛び出した状態でディスク１がトレイ２の上に
置かれ、ユーザがトレイ２を装置本体内部方向へ押込み、トレイ押込み検出部４によりト
レイ２の押込みが検出されると（ステップＳ１のＹ）、トレイ２が装置本体内部へ移動し
始め、ディスク１が装置本体内部へ搬送を開始される（ステップＳ２）。
【００２３】
ここで図３に、本発明に係るディスク装置を上面から見た断面図を示す。これは装置本
体から外部へトレイ２が飛び出した状態を示す。
【００２４】
トレイ２は１２ｃｍディスクを置くことができる１２ｃｍディスク載置部２ａと、８ｃ
ｍディスクを置くことができる８ｃｍディスク載置部２ｂとを備え、１２ｃｍディスク載
置部２ａと８ｃｍディスク載置部２ｂの中心は一致するよう形成されている。
【００２５】
前述したトレイ駆動部３（図１）はギヤ３ａ〜ギヤ３ｇおよびトレイ駆動モータ３ｈを
有する。トレイ２に設けられたラック２ｃはギヤ３ａに噛み合う。そして、ギヤ３ａはギ
ヤ３ｂに噛み合い、以降ギヤ３ｂとギヤ３ｃ、ギヤ３ｄとギヤ３ｅ、ギヤ３ｆとギヤ３ｇ
が噛み合う。また、ギヤ３ｃとギヤ３ｄ、ギヤ３ｅとギヤ３ｆは一体で回転する。これに
より、トレイ２の図３中矢印方向の直線運動はギヤ３ｇの回転運動として伝えられる。ま
た、ギヤ３ｇはトレイ駆動モータ３ｈの軸と一体化されており、トレイ駆動モータ３ｈの
回転駆動力はトレイ２の図３中矢印方向の直線運動として伝えられ、トレイ２を駆動する
。
【００２６】
また、前述したトレイ押込み検出部４（図１）はスリット部材４ａ、発光ダイオード４
ｂおよび受光素子４ｃを有する。図４（ａ）にスリット部材４ａの上面図（上）およびス
リットで切断した側面断面図（下）を示す。スリット部材４ａは円盤状部材の中心から所
定半径の範囲が軸方向に突出した形状をしており、突出部Ｐ１の中央部には軸方向に軸穴
Ｈが貫通しており、突出部Ｐ１よりも外周部分である外周部Ｐ２には円周方向に等間隔の
スリットＳＬが設けられている。そして、図（ｂ）のように、スリット部材４ａの軸穴Ｈ
にトレイ駆動モータ３ｈの軸ＳＨがはめ合わされ固定される。また、スリット部材４ａと
共にギヤ３ｇもトレイ駆動モータ３ｈの軸ＳＨに固定される。そして、スリット部材４ａ
のスリットＳＬの上方に発光ダイオード４ｂが設けられ、スリットＳＬの下方に受光素子
４ｃが設けられる。発光ダイオード４ｂの下方にスリットＳＬが位置する場合は、発光ダ
イオード４ｂから射出された光はスリットＳＬを通過して受光素子４ｃに到達し、受光素
子４ｃで電気信号に変換される。また、スリット部材４ａが軸ＳＨ周りに回転して発光ダ
イオード４ｂの下方にスリットＳＬとスリットＳＬの間の部分が位置する場合は、発光ダ
イオード４ｂから射出された光はスリットＳＬとスリットＳＬの間の部分に遮られ、受光
素子４ｃには到達せず電気信号は発生しない。従って、スリット部材４ａが軸ＳＨ周りに
回転することにより、受光素子４ｃからパルス信号が順次検出される。
【００２７】
ここで、トレイ２が装置本体から外部へ最も飛び出した初期状態で、発光ダイオード４
ｂの下方にスリット部材４ａのスリットＳＬとスリットＳＬの間の部分が位置するとする
。従って、図５のタイミングＴ０のように、初期状態では受光素子４ｃで検出される電気
信号は０である。なお、図５は受光素子４ｃで検出される信号波形を示し、図５（ａ）が
１２ｃｍディスクの場合、図５（ｂ）が８ｃｍディスクの場合を示す。
【００２８】
そして、トレイ２の１２ｃｍディスク載置部２ａまたは８ｃｍディスク載置部２ｂにデ
ィスク１が置かれ、ユーザがトレイ２を装置本体内部方向（図３中矢印上方向）へ押し込
んでいくと、ギヤ３ｇおよびスリット部材４ａが回転し、図５のタイミングＴ１に発光ダ
イオード４ｂの下方にスリット部材４ａのスリットＳＬが位置すると、受光素子４ｃで検
出される電気信号が０から立ち上がる。そして、コントローラ１９は受光素子４ｃで検出
される電気信号が０から立ち上がったことを検出し、トレイ２が押し込まれたと判断する
と（ステップＳ１のＹ）、トレイ駆動モータ３ｈに駆動信号を送信する。トレイ駆動モー
タ３ｈは軸ＳＨを回転させ、トレイ２ｃが装置本体内部方向（図３中矢印上方向）へ移動
を開始し、ディスク１がディスク半径方向にターンテーブル５に向かって搬送を開始され
る（ステップＳ２）。
【００２９】
以降、ディスク１が装置本体内部へ搬送されるに伴いスリット部材４ａが回転し、図５
のように受光素子４ｃではパルス信号が順次検出される。なお、図５は概念図であり、パ
ルス信号の数は実際とは異なるものとする。このパルス信号の計数をステップＳ３でコン
トローラ１９は開始する。また、ステップＳ３でコントローラ１９は、レーザドライバ１
４に駆動信号を送信し、ピックアップ１１の対物レンズ７からレーザが射出される。なお
、ピックアップ１１は所定位置で固定され、対物レンズ７は中心がレーザ光軸と一致する
ようロックされる。
【００３０】
ディスク１の装置本体内部への搬送が進み、ディスク１の最外周部が対物レンズ７から
のレーザ射出位置に到達すると、レーザがディスク１の記録面で反射され、ヘッドアンプ
１７で生成される反射光量を示す信号が０から立ち上がる。コントローラ１９がステップ
Ｓ４でこれを検出すると（ステップＳ４のＹ）、ステップＳ５でディスクサイズを判定す
る。
【００３１】
ステップＳ５でコントローラ１９はそれまでに計数したパルス信号の計数値を所定のし
きい値と比較し、計数値がしきい値よりも小さければディスク１が１２ｃｍディスク、大
きければディスク１が８ｃｍディスクであると判定する。
【００３２】
図５において、タイミングＴ２が、１２ｃｍディスクの場合にディスク１の最外周部が
対物レンズ７からのレーザ射出位置に到達しヘッドアンプ１７で生成される反射光量を示
す信号が０から立ち上がるタイミング（上記ステップＳ４のＹのタイミング）であり、タ
イミングＴ３が８ｃｍディスクの場合のそれである。１２ｃｍディスクの方が８ｃｍディ
スクよりも径が大きく、ディスク１の最外周部が対物レンズ７からのレーザ射出位置に到
達するまでのトレイ２の移動量が小さく、スリット部材４ａが回転する回転量も小さいた
め、図５のように受光素子４ｃで検出されるパルス信号の数も少ない。従って、しきい値
を１２ｃｍディスクと８ｃｍディスクの場合のパルス信号の計数値の間にとれば、パルス
信号の計数値がしきい値よりも小さければディスク１が１２ｃｍディスク、大きければ８
ｃｍディスクであると判別することができる。
【００３３】
そしてステップＳ６で、上記ステップＳ５でのディスクサイズ判別結果に基づき、コン
トローラ１９はスピンドルサーボのゲイン設定を行う。
【００３４】
以上によれば、ディスクを装置本体内部へ搬送する間にディスクサイズを判別するので
、ディスクマウント後にディスクサイズを判別する必要がなくなり、結果的にディスクの
装置挿入から再生および記録までの時間を短縮することができる。
【００３５】
なお、以上ではパルス信号の計数値に基づきディスクサイズを判別したが、次のように
してもよい。図２のステップＳ１でトレイ２の押込みが検出され、ステップＳ２でディス
ク１の装置本体内部への搬送が開始される。そしてステップＳ３でコントローラ１９は不
図示のタイマ部を用いて経過時間を測定開始し、レーザを対物レンズ７から射出させる。
ディスク１の搬送が進み、ステップＳ４でコントローラ１９がディスク１の最外周部が対
物レンズ７からのレーザ射出位置に到達したことを検出すると、ステップＳ５でディスク
サイズの判別を行う。ステップＳ５でコントローラ１９は、それまでにタイマ部を用いて
測定した経過時間を所定のしきい値と比較し、しきい値よりも小さければディスク１が１
２ｃｍディスク、大きければ８ｃｍディスクであると判定する。ステップＳ６は上記と同
様である。
【００３６】
ステップＳ２でディスク１の搬送が開始され、それ以降トレイ２にユーザが押込み力を
加えなければディスク１はほぼ等速で搬送されるので、１２ｃｍディスクの場合は８ｃｍ
ディスクよりも径が大きく、必ず８ｃｍディスクよりも早いタイミングでディスク１の最
外周部が対物レンズ７からのレーザ射出位置に到達するので、上記経過時間を測定するこ
とでディスクサイズを判別できる。
【００３７】
しかし、前述したパルス信号の計数値を用いる方法では、ディスク１の最外周部が対物
レンズ７からのレーザ射出位置に到達するタイミングまでのパルス信号の計数値は、ステ
ップＳ２以降トレイ２にユーザが押込み力を加えてディスク１の搬送速度が変化しても影
響されないのでディスクサイズを正しく判別することでき、ユーザがトレイを押込んでデ
ィスク搬送が開始される場合は、前述したパルス信号の計数値に基づくディスクサイズ判
別方法のほうがより望ましい。
【００３８】
なお、ユーザがトレイを押込んでディスク搬送が開始されるのではなく、ユーザが操作
部１７（図１）のトレイ出し入れボタンを押してコントローラ１９がトレイ駆動モータ３
ｈに駆動信号を送信し、ディスクが自動的に装置本体内部へ搬送開始される場合も、上記
パルス信号の計数値に基づく方法および経過時間の測定値に基づく方法において、ステッ
プＳ２以降同様にすればよい。
【図面の簡単な説明】
【００３９】
【図１】は、本発明に係るディスク装置およびホストコンピュータのブロック図である。
【図２】は、本発明に係るディスク装置におけるディスクサイズ判別時のフローチャートである。
【図３】は、本発明に係るディスク装置の上面断面図である。
【図４】は、スリット部材の上面図および側面断面図（ａ）と、トレイ押込み検出部の側面断面図（ｂ）である。
【図５】は、１２ｃｍディスクの場合（ａ）と、８ｃｍディスク（ｂ）の場合のパルス信号波形の概念図である。
【符号の説明】
【００４０】
１    ディスク
２    トレイ
２ａ    １２ｃｍディスク載置部
２ｂ    ８ｃｍディスク載置部
２ｃ    ラック
３    トレイ駆動部
３ａ、３ｂ、３ｃ、３ｄ、３ｅ、３ｆ、３ｇ    ギヤ
３ｈ  トレイ駆動モータ
４    トレイ押込み検出部
４ａ  スリット部材
４ｂ  発光ダイオード
４ｃ  受光素子
５    ターンテーブル
６    スピンドルモータ
７    対物レンズ
９    レーザダイオード
１０    フォトディテクタ
１１    ピックアップ
１２    スピンドルモータドライバ
１３    アクチュエータドライバ
１４    レーザドライバ
１５    スレッドドライバ
１６    スレッドモータ
１７    ヘッドアンプ
１８    サーボ回路
１９    コントローラ
２０    信号処理回路
２１    操作部
２２    ホストインターフェイス
２３    ディスク装置
２４    ホストコンピュータ
【図１】
2006351077.tif 000003
【図２】
2006351077.tif 000004
【図３】
2006351077.tif 000005
【図４】
2006351077.tif 000006
【図５】
2006351077.tif 000007